(57)【要約】【課題】  本発明は万華鏡本体に取付けられた万華鏡用映像ソフトを回転させながら、その映像を楽しむことができるとともに、異なる万華鏡用映像ソフトに容易に楽な作業で差し替えて、数多くの万華鏡用映像ソフトを楽しむことができる万華鏡を得るにある。【解決手段】  複数枚の鏡の鏡面が内壁面に位置するように筒状に組み合わされた万華鏡本体と、この万華鏡本体の対物部に取付けられ、万華鏡用映像ソフトの円筒状容器の円周の少なくとも２点に接し、一端が開放され、円筒状容器の両端を支持する２個の受け材からなり、万華鏡用映像ソフトを万華鏡本体の対物部に回転可能で着脱可能に支持する映像ソフト支持体と、この映像ソフト支持体あるいは前記万華鏡本体の対物部あるいはその近辺に取付けられた、受け材の開放端から万華鏡用映像ソフトが抜け出るのを防止するための押さえ材と、前記映像ソフト支持体に回転可能で着脱可能に支持させることができる円筒状容器内に映像ソフト部材が収納された万華鏡用映像ソフトとで万華鏡を構成している。【選択図】  図１
2004094226.tif 000002
【特許請求の範囲】
【請求項１】
複数枚の鏡の鏡面が内壁面に位置するように筒状に組み合わされた万華鏡本体と、この万華鏡本体の対物部に取付けられ、万華鏡用映像ソフトの円筒状容器の円周の少なくとも２点に接し、一端が開放され、円筒状容器の両端を支持する２個の受け材からなり、万華鏡用映像ソフトを万華鏡本体の対物部に回転可能で着脱可能に支持する映像ソフト支持体と、この映像ソフト支持体あるいは前記万華鏡本体の対物部あるいはその近辺に取付けられた、受け材の開放端から万華鏡用映像ソフトが抜け出るのを防止するための押さえ材と、前記映像ソフト支持体に回転可能で着脱可能に支持させることができる円筒状容器内に映像ソフト部材が収納された万華鏡用映像ソフトとからなることを特徴とする万華鏡。
【請求項２】
複数枚の鏡の鏡面が内壁面に位置するように筒状に組み合わされた万華鏡本体と、この万華鏡本体の対物部に取付けられた万華鏡用映像ソフトを支持する映像ソフト支持体と、この映像ソフト支持体に支持させることができる容器内に映像ソフト部材が収納された万華鏡用映像ソフトと、前記万華鏡本体の軸心方向に対して平行に照射する照明ランプと、この照明ランプの光路を曲げ、万華鏡用映像ソフトを万華鏡本体の軸心方向に対してほぼ直角方向から照明することができる反射板と、電気回路からなり、前記映像ソフト支持体あるいは万華鏡本体に取付けられた照明装置とからなることを特徴とする万華鏡。
【請求項３】
複数枚の鏡の鏡面が内壁面に位置するように筒状に組み合わされた万華鏡本体と、この万華鏡本体の対物部に取付けられた万華鏡用映像ソフトを支持する映像ソフト支持体と、この映像ソフト支持体に支持させることができる円筒状容器内に映像ソフト部材が収納された万華鏡用映像ソフトと、前記映像ソフト支持体あるいは万華鏡本体に取付けられた、前記映像ソフトの円筒面と万華鏡本体の対物部との隙間を埋める反射板とからなることを特徴とする万華鏡。
【請求項４】
複数枚の鏡の鏡面が内壁面に位置するように筒状に組み合わされた万華鏡本体と、この万華鏡本体の対物部に取付けられた万華鏡用映像ソフトを支持する映像ソフト支持体と、この映像ソフト支持体に支持させることができる容器内に映像ソフト部材が収納された万華鏡用映像ソフトと、前記万華鏡本体の接眼部に取付けられ、接眼部を中央にして左右に広がり、左右どちらの目を万華鏡本体の接眼部に当てても、残り片方の目を覆うように構成されたアイピースとからなることを特徴とする万華鏡。
【請求項５】
複数枚の鏡の鏡面が内壁面に位置するように筒状に組み合わされた万華鏡本体と、この万華鏡本体の対物部に取付けられた万華鏡用映像ソフトを支持する映像ソフト支持体と、この映像ソフト支持体に支持させることができる容器内に映像ソフト部材が収納された万華鏡用映像ソフトと、両目を覆うフードが前記万華鏡本体の接眼部に移動可能に止められ、左右どちらの目を万華鏡本体の接眼部に当てても、フードの位置を変えることにより残り片方の目を覆うように構成されたアイピースとからなることを特徴とする万華鏡。
【請求項６】
両目で覗くことができるように並行に配置された、複数枚の鏡の鏡面が内壁面に位置するように筒状に組み合わされた２本の万華鏡本体と、この万華鏡本体の対物部に取付けられ、各万華鏡本体に対応する２本の万華鏡用映像ソフトを独立して支持する映像ソフト支持体と、この映像ソフト支持体に支持させることができる容器内に映像ソフト部材が収納された２本の万華鏡用映像ソフトとからなることを特徴とする万華鏡。
【請求項７】
円筒状容器本体と、この円筒状容器本体内に収納された多数個のオブジェクトおよび液体とからなる映像ソフト部材と、前記円筒状容器本体内に収納された、容器内部の圧力の変化により体積が収縮膨張する弾力性のある小片と、前記円筒状容器本体の開口部を密閉状態で覆うキャップとからなることを特徴とする万華鏡用映像ソフト。
【請求項８】
円筒状容器本体と、この円筒状容器本体内に収納された円筒容器の内部を円筒軸に対して複数の空間に分ける隔壁と、この隔壁により分けられた各々の空間に収納された、多数個のオブジェクトおよび液体とからなる映像ソフト部材と、前記円筒状容器本体の開口部を密閉状態で覆うキャップとからなることを特徴とする万華鏡用映像ソフト。
【発明の詳細な説明】
【技術分野】
【０００１】
本発明は万華鏡および万華鏡用映像ソフトに関する。
【背景技術】
【０００２】
従来の万華鏡は、複数枚の鏡で構成された万華鏡本体と、万華鏡本体の対物部に、ほぼ固定状態に取付けられた万華鏡用映像ソフトで構成されており、万華鏡用映像ソフトの外側から万華鏡本体内に入り込む自然光で見るものが多い。
【０００３】
従来の万華鏡は、万華鏡本体に万華鏡用映像ソフトがほぼ固定的に取付けられているので、万華鏡用映像ソフトの交互が面倒で、数多くの映像ソフトを交換して楽しむことができなかった。
また、自然光によって万華鏡用映像ソフトを見るため、室内では映像が暗く、万華鏡本来の映像の美しさを楽しむことができないという欠点があった。また、明るい方に向けて身をよじって見る必要があるため、長時間楽しむには無理があった。
【発明の開示】
【発明が解決しようとする課題】
【０００４】
本発明は以上のような従来の欠点に鑑み、万華鏡本体に取付けられた万華鏡用映像ソフトを異なる万華鏡用映像ソフトに容易に楽な作業で差し替えて、多くの映像を楽しむことができる万華鏡を提供することを目的としている。
また、本発明は小型で携帯に便利な照明装置を取付けることにより、どこででも、楽な姿勢で、明るく、美しい映像を見ることができる万華鏡を提供するこ
とを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は複数枚の鏡の鏡面が内壁面に位置するように筒状に組み合わされた万華鏡本体と、この万華鏡本体の対物部に取付けられ、万華鏡用映像ソフトの円筒状容器の円周の少なくとも２点に接し、一端が開放され、円筒状容器の両端を支持する２個の受け材からなり、万華鏡用映像ソフトを万華鏡本体の対物部に回転可能で着脱可能に支持する映像ソフト支持体と、この映像ソフト支持体あるいは前記万華鏡本体の対物部あるいはその近辺に取付けられた、受け材の開放端から万華鏡用映像ソフトが抜け出るのを防止するための押さえ材と、前記映像ソフト支持体に回転可能で着脱可能に支持させることができる円筒状容器内に映像ソフト部材が収納された万華鏡用映像ソフトで万華鏡を構成している。
【０００７】
また、本発明は複数枚の鏡の鏡面の鏡面が内壁面に位置するように筒状に組み合わされた万華鏡本体と、この万華鏡本体の対物部に取付けられた万華鏡用映像ソフトを支持する映像ソフト支持体と、この映像ソフト支持体に支持させることができる容器内に映像ソフト部材が収納された万華鏡用映像ソフトと、前記万華鏡本体の軸心方向に対して平行に照射する照明ランプと、この照明ランプの光路を曲げ、万華鏡用映像ソフトを万華鏡本体の軸心方向に対してほぼ直角方向から照明することができる反射板と、電気回路からなり、前記映像ソフト支持体あるいは万華鏡本体に取付けられた照明装置とで万華鏡を構成している。
【発明の効果】
【０００８】
以上の説明から明らかなように、本発明にあっては次に列挙する効果が得られる。
【０００９】
（１）複数枚の鏡の鏡面が内壁面に位置するように筒状に組み合わされた万華鏡本体と、この万華鏡本体の対物部に取付けられ、万華鏡用映像ソフトの円筒状容器の円周の少なくとも２点に接し、一端が開放され、円筒状容器の両端を支持する２個の受け材からなり、万華鏡用映像ソフトを万華鏡本体の対物部に回転可能で着脱可能に支持する映像ソフト支持体と、この映像ソフト支持体あるいは前記万華鏡本体の対物部あるいはその近辺に取付けられた、受け材の開放端から万華鏡用映像ソフトが抜け出るのを防止するための押さえ材と、前記映像ソフト支持体に回転可能で着脱可能に支持させることができる円筒状容器内に映像ソフト部材が収納された万華鏡用映像ソフトとで構成されているので、映像ソフト支持体に万華鏡用映像ソフトを容易に着脱可能に支持させることができる。
これにより、万華鏡用映像ソフトをワンタッチで着脱できるので、従来面倒だった映像ソフトの交換が容易となり、数多くの万華鏡用映像ソフトを交換して気軽に楽しむことができる。
【００１０】
（２）前記（１）によって、万華鏡用映像ソフトの形状を、単独でも鑑賞に耐えうる優美な意匠にすることができる。
【００１１】
（３）請求項２も前記（１）と同様な効果が得られるとともに、どこででも明るく美しい映像を楽な姿勢で見ることができる。
【００１２】
（４）前記（３）によって、透過光ではなく視線に対して横から射す光の反射光で見るので映像に陰影が生じ、立体的に感じられる。
【００１３】
（５）前記（３）によって、透過光ではなく反射光で見るので、オブジェクトに不透明なものを使用でき、材料の選択範囲が増えると共に創作の範囲が広がる。
【００１４】
（６）前記（２）によって、円筒状容器本体の全体に光が回り、液体に色を付けても透過光で見るのと異なり、全体が美しく透けて見える。
また、円筒状容器本体の表面反射光が映像に与える影響が少なく、鮮明な映像が得られる。
【００１５】
（７）前記（３）によって、コンパクトな構成ながら万華鏡用映像ソフトの照射面全域にムラのない均一な柔らかい光を当てることができ、美しい映像を得ることができる。
【００１６】
（８）前記（３）によって、反射板の反射面を曲面にすれば凹面鏡として働き、照明ランプの光を効率的に集め、映像の明るさを増すことができる。
また、反射面の表面を白色や鏡面や有彩色などにすることにより、映像の雰囲気に変化を与えることができる。
【００１７】
（９）前記（３）によって、反射板の上面が空いているので、周りが明るいときは自然光を採り入れることができ、電池の節約になり経済的である。
このときも、反射板の反射面が集光鏡として働き、採り入れた光を効率的に万華鏡用映像ソフトに集め、映像の明るさを増す。
【００１８】
（１０）前記（３）によって、反射板が受けになって、万華鏡用映像ソフトを出し入れする際、不意に落下するアクシデントを防止したり、万華鏡本体を落としても反射板がショックを吸収し、万華鏡用映像ソフトや照明ランプを破損から守るという効果もある。
【００１９】
（１１）前記照明装置の照明ランプに白色高輝度ＬＥＤを用いたことにより、色温度の高い白色光が得られ、美しい色彩の万華鏡映像を得ることができる。
【００２０】
（１２）請求項３も前記（１）〜（１１）と同様な効果が得られるとともに、無関係な外部の風景が映り込んで来るのを遮断し、映像の周辺部でもノイズのない自然な美しい映像ることができる。
【００２１】
（１３）請求項４も前記（１）〜（１２）と同様な効果が得られるとともに、左右どちらの目を万華鏡本体の接眼部に当てても、残り片方の目を覆うので、左右どちらの目でも覗くことができる。従って利き目を気にすることがなく、しかも両目を明けて覗くことができるので、映像に立体感が感じられ、目も疲れない。
【００２２】
（１４）請求項５も前記（１３）と同様な効果が得られる。
【００２３】
（１５）請求項６も前記（１）〜（１４）と同様な効果が得られるとともに、全体としてより複雑で深みのある鮮明な、立体感のある映像を楽しむことができる。
【００２４】
（１６）請求項７は、万華鏡用映像ソフト内部の気泡の残留を防止し、映像の美観を確保できる。
また、弾力性のある小片を詰めることにより、その分映像ソフト部材の量を少なくでき経済的である。
【００２５】
（１７）前記（１６）によって、気温の上昇等により内部圧力が上がっても液体の漏洩を抑制できる。
【００２６】
（１８）請求項８は、映像ソフトを回転させると、映像のイメージを一転させ、映像に変化を付ける効果が得られる。
また、分映像ソフト部材の量を少なくでき経済的である。
【発明を実施するための最良の形態】
【００２７】
以下、図面に示す発明を実施するための最良の形態により、本発明を詳細に説明する。
【００２８】
図１ないし図１２に示す本発明を実施するための最良の第１の実施の形態において、１は本発明の万華鏡である。この万華鏡１は、万華鏡本体２と、万華鏡用映像ソフト３を万華鏡本体２の対物部７に回転可能で着脱可能に支持する、万華鏡本体２の対物部７に取付けられた映像ソフト支持体４と、万華鏡用映像ソフト３を前記万華鏡本体２の軸心方向に対して、ほぼ直角方向から照明できる、映像ソフト支持体４に取付けられた照明装置５と、万華鏡本体２の接眼部８に取付けられ、左右どちらの目を万華鏡本体２の接眼部８に当てても、残り片方の目を覆うように構成された両目を覆うことができるアイピース６とで構成されている。
【００２９】
前記万華鏡本体２は複数枚の鏡、本発明の実施の形態では３枚の鏡９、９、１０を、その鏡面が内壁面に位置するように三角形状の筒状に組み合わせ、その接眼部８と対物部７に鏡筒１２の内周と筒状の鏡９、９、１０の外周との隙間を塞ぐ遮光板１１、１１を取付けて長方形状の鏡筒１２に挿入し、接眼部８と対物部７開口部を透明なガラスや樹脂材などでできたカバーガラス１３、１３で覆ってある。
【００３０】
前記万華鏡本体２の鏡筒１２の内周と筒状の鏡９、９、１０の外周との隙間を塞ぐ遮光板１１、１１を取付けてカバーガラス１３、１３で覆う構造にしたのは、鏡筒１２の開口部の全面を利用できるので大きな覗き口を確保するためであり、覗くのが楽になるという効果がある。
【００３１】
前記万華鏡本体２の鏡筒１２の内部には、筒状の鏡９、９、１０を挿入し、必要に応じて不活性ガスや酸素を含まない気体を充填しカバーガラス１３、１３で密閉してある。
万華鏡に使用する鏡は、鏡メッキ面を直接反射面として使用する。従って、鏡メッキ面が大気に曝され、酸化発錆による劣化が起こりやすい。この鏡面の劣化を防止するには酸素を断つことが必要であり、乾燥剤や酸素吸収剤を入れることでも同様の防錆効果が期待できる。
【００３２】
前記万華鏡用映像ソフト３は、透明なガラスや樹脂材で円筒状に成形された円筒状容器本体１４と、この円筒状容器本体１４内に収納された多数個のビーズ、ガラス片、プラスチック片、貴金属片、糸片等のオブジェクト２２などからなる映像ソフト部材２４と、必要に応じて透明あるいは着色されたグリセリン、オイル、水等の液体２３などからなる映像ソフト部材２４と、前記円筒状容器本体１４内に収納された円筒状容器本体１４内に内部を円筒軸に対して複数の空間に仕切る隔壁２１と、前記円筒状容器本体１４内に収納された弾力性のある小片２５と、前記円筒状容器本体１４の開口部１５を密閉状態で覆い、該開口部１５の肩部１６との間にガイド溝１９を形成するキャップ１７と、円筒状容器本体１４の反開口部側に取付けられたスペーサ２０と、このスペーサ２０に取付けられ、反開口部の肩部１６との間にガイド溝１９を形成するキャップ１７とで構成されている。
【００３３】
前記万華鏡用映像ソフト３には、オブジェクト２２の発色をよくし、動きを緩慢にして映像が変化する過程を楽しむなどの効果を期待し、グルセリンやオイル、水などの液体２３を封入することが多い。
しかし、キャップ１７で密閉する過程で気泡が残留し、映像の美しさが損なわれるという問題があった。
本発明は、円筒状容器本体１４内にオブジェクト２２と共に液体２３を開口部１５まで満たしておき、その上から弾力性のある小片、本発明の実施の形態では開口部１５の経に合わせ円柱状に成形した、発泡スチロールの小片２５を詰めキャップ１７を被せて締める過程で弾力性のある小片２５が押し込まれ、容器内部の気泡を液体２３と共に排除しながらキャップ１７が閉まるので、万華鏡用映像ソフト３内部の気泡の残留を防止し、映像の美観を確保できる。
【００３４】
また、万華鏡用映像ソフト３に封入された液体２３が気温の上昇等により膨張し圧力が上がり、漏洩が発生するという問題があった。
これに対しては、ある程度空気を入れておけば空気の収縮により液体の膨張を相殺し液体の漏洩を防ぐことができるが、気泡によって映像の美しさが損なわれるので気泡を入れたくない。従来は液漏れを防止するためにガラス容器の口を溶融したり金属冠を被せてかしめて閉じたりしている。技術的に確実な方法ではあるが、手軽にできる工程ではない。
本発明は、円筒状容器本体１４内に液体２３とともに、容器内部の圧力の変化により体積が収縮膨張する空気を密閉した袋もしくは発泡樹脂材や発泡ゴム材製の弾力性のある小片２５、本発明の実施の形態では前記の発泡スチロールを円柱状に成形した小片を封入することで、液体２３の膨張を相殺し、液体の漏洩を抑制しようとするものである。
この弾力性のある小片２５を透明な円筒状容器本体１４の開口部１５に詰めれば、不透明なキャップ１７の内側に隠すことができ、万華鏡用映像ソフト３の映像に影響を与えることが少ない。
その他、弾力性のある小片２５を詰めることにより、その分映像ソフト部材２４の量を少なくでき経済的である。
【００３５】
前記万華鏡用映像ソフト３の映像のイメージは、ほぼ映像ソフト部材２４の構成で決まる。従来の映像ソフトは、容器に映像ソフト部材２４を投入しただけのものであり、回転しても、ほぼ同じイメージの変わり映えしない映像が続く。
本発明は、円筒状容器本体１４内に、内部を円筒軸に対して複数の空間に仕切る板状、十字状、三又状等、本発明の実施の形態では板状の仕切壁２１を収納し、仕切られた空間ごとに違った構成のオブジェクト２２を入れることにより、映像ソフトを回転させると、映像のイメージを一転させ、映像に変化を付けるつける効果が得られる。
分割の数が増えると、より変化のある映像を得ることができる。また隔壁２１が背景を構成するので、この隔壁２１に色彩や図柄をあしらうことにより、イメージに、より変化のある映像を得ることができる。
特に、容器の中央に円筒または円柱を入れ、その周囲にのみ映像ソフト部材２４入れれば、その分映像ソフト部材２４の量を少なくでき経済的である。
【００３６】
前記万華鏡用映像ソフト３のガイド溝１９は、映像ソフト支持体４の受け材２７、２７をガイドレールとして万華鏡用映像ソフト３を一定位置で回転させ、抜け落ちることを防止するためのものである。
このガイド溝１９の目的は万華鏡用映像ソフト３が映像ソフト支持体４から抜け落ちるのを防止するのが目的であり、万華鏡用映像ソフト３の円周上に何らかの凹凸があれば、ガイド溝１９に限らず、抜け落ち防止の機能を果たすことができる。
このような抜け落ちるのを防止する凹凸の配置によっては、万華鏡用映像ソフト３を一定位置はなく、その回転軸方向にも移動させることができるので、より変化のある映像が得られる万華鏡用映像ソフト３が可能になる。
また、前記万華鏡用映像ソフト３には両側にキャップ１７、１７が付いているので、使用者は左右任意の手の指でキャップ１７を回転させて使用することができる。
なお、キャップ１７は円筒状容器本体１４の開口部１５側の片方だけのものでも万華鏡用映像ソフト３を回転させる機能を果たすことができる。
【００３７】
前記映像ソフト支持体４は万華鏡本体２の対物部７に取付けられており、その万華鏡用映像ソフト３を取り付ける部分には、万華鏡用映像ソフト３の外周に形成された２本のガイド溝１９、１９に嵌合する半円形の円弧状のくぼみを持つ万華鏡用映像ソフト３の円筒状容器の両端を支持する２個の受け材２７、２７を持ち、万華鏡用映像ソフト３をそのガイド溝１９、１９に沿って回転可能で着脱可能に支持する。
そして、映像ソフト支持体４に取付けられた照明装置５の弾力性のある反射板３２の遊端部に、万華鏡本体２の軸心方向に対してほぼ垂直に形成された押さえ板３３で万華鏡用映像ソフト３が受け材２７の開放端から抜け出るのを防止している。
また、支持筒２６の万華鏡用映像ソフト３を支持する部分の縁は、万華鏡用映像ソフト３の円筒面に接するリップ部２８、２８を構成している。支持筒２６の内側のリップ部２８、２８と万華鏡本体２の対物部７との間には反射面２９、２９となっている。
【００３８】
万華鏡用映像ソフト３を前記映像ソフト支持体４に挿入するには、照明装置５の反射板３２の遊端部に形成された弾力性のある押さえ板３３を万華鏡用映像ソフト３で押し開いて中に入れ、ガイド溝１９、１９を受け材２７、２７に嵌め合わせる。これにより万華鏡用映像ソフト３は受け材２７の上で一定位置で回転可能で、開放端から抜け出ることもない。
これにより、万華鏡用映像ソフト３をワンタッチで着脱できるので、従来面倒だった映像ソフトの交換が容易となり、数多くの万華鏡用映像ソフト３を交換して気楽に楽しむことができる。
また、回転軸のような機能部品が外部にないので、万華鏡用映像ソフトの形状を、単独でも鑑賞に耐えうる優美な意匠にすることができる。
【００３９】
前記万華鏡本体２の筒状の鏡９、９、１０の縁は通常、加工上の都合から直線で構成されている。この筒状の鏡９、９、１０が挿入された万華鏡本体２の対物部７を万華鏡用映像ソフト３の円筒面に当てると平面と曲面の関係で隙間が発生する。この隙間があると万華鏡１を覗いたとき、この隙間から映像に無関係な外部の風景が多数次の反射で映像の周辺部に映り込んで、こいのぼりのウロコのような模様のノイズになり、画像の美しさが損なわれていた。
これを防止するため、支持筒２６の万華鏡用映像ソフト３を支持する側の縁を万華鏡用映像ソフト３の円筒面に接するように庇のように張り出し、リップ部２８、２８を構成している。これにより万華鏡本体２の対物部７と万華鏡用映像ソフト３の円筒面との間の隙間を塞ぎ、無関係な外部の風景が映り込んで来るのを遮断している。
そして支持筒２６の内側のリップ部２８、２８と万華鏡本体２の対物部７との間は反射面２９、２９になっている。これにより、ここに万華鏡用映像ソフト３の映像ソフト部材２４が映りこみ、美しい映像が確保できる。また、反射面２９、２９が万華鏡用映像ソフト３の円筒面に接するように取り付けられているので、円筒面と反射面２９の距離は接触点に近付くほど小さくなる。円筒面と反射面２９の距離が小さくなる程、円筒面の映像ははっきりと反射面２９に投影されるので、グラディエーションをもって映り込み、接触点との継ぎ目が眼に付かなくなり、映像の周辺部でもノイズのない自然な美しい映像が得られる。
なお反射面２９は白色や鏡面など反射光に対して一定の効果を与える色や形状にすることにより、万華鏡１を覗いたときの映像に変化を与えることができる。
【００４０】
前記照明装置５は、映像ソフト支持体４の下面に取付けられた電源収納ケース３０と、この電源収納ケース３０内に収納された電池等の電源３１と、電源収納ケース３０の先端部下部よりほぼ４５度の傾斜面を介して上方へ突出し、上面が開放されており、万華鏡本体２の対物部７に面した面が反射面になった反射板３２と、この反射板３２内へ突出し、万華鏡本体２の軸心方向に対して平行に照射する少なくとも１個以上の照明ランプ、本発明の実施の形態では２個の発熱や電力消費が少ない白色高輝度ＬＥＤ３４、３４と、この照明ランプ３４、３４と前記電源３１との間に介装された、映像ソフト支持体４の上面に取付けられたスイッチ支持板３５に設置されたスイッチ３６で該照明ランプ３４、３４を点灯させることができる制御回路３７とで構成されている。これにより、照明ランプ３４、３４の光は反射板３２により曲げられ、万華鏡用映像ソフト３を万華鏡本体２の軸心方向に対してほぼ直角方向から照明する。
【００４１】
前記照明装置５が、万華鏡用映像ソフト３の下面を照らすようにしたのは、万華鏡用映像ソフト３を透過光ではなく反射光で見るようにしたためである。
これにより、透過光で見るのと異なり、視線に対して横から射す光の反射光で見るので映像に陰影が生じ、立体的に感じられる効果がある。
また、不透明なオブジェクト２２が使用でき、材料の選択範囲が増えると共に創作の範囲が広がる。
また円筒状容器本体１４の全体に光が回り、液体２３に色を付けても透過光で見るのと異なり、全体が美しく透けて見えるという効果も得られる。その他、円筒状容器本体１４の表面反射光が映像に与える影響が少なく、鮮明な映像が得られるという効果もある。
【００４２】
前記照明装置５の照明ランプ３４で万華鏡用映像ソフト３の下面を直接照らさず、反射板３２を介する間接照明を用いたのは、照明ランプ３４には一般に光度分布にムラがあるからである。
照明ランプ３４の光度分布のムラは光源に近付くほど鮮明になり、映像の美しさを阻害する要因になっている。このムラを回避するには、光源を対象物から離すことと、光束を散乱させることが効果的である。
反射板３２を用いることにより、コンパクトな構成でも光源と対象物の距離を大きくできると共に、光束を散乱させ、万華鏡用映像ソフト３の照射面全域に均一な柔らかい光を当てることができる。
また、反射板３２の反射面を曲面にすれば凹面鏡として働き、照明ランプ３４の光を効率的に万華鏡用映像ソフト３集め、映像の明るさを増すことができる。  また、反射面の表面を白色や鏡面や有彩色などにすることにより、映像の雰囲気に変化を与えることができる。
【００４３】
前記照明装置５の反射板３２の上面を空けたのは、万華鏡用映像ソフト３の出し入れを容易にするためであるが、周りが明るいときは自然光を採り入れることができ、暗いときのみ照明装置５を援用することにより電池の節約になり経済的である。
このときも、反射板３２の反射面が集光鏡として働き、採り入れた光を効率的に万華鏡用映像ソフト３に集め、映像の明るさを増すという効果もある。
その他、反射板３２が受けになって、万華鏡用映像ソフト３を出し入れする際、不意に落下するアクシデントを防止したり、万華鏡本体を落としても反射板３２ショックを吸収し、万華鏡用映像ソフト３や照明ランプ３４を破損から守るという効果もある。
【００４４】
前記照明装置５のスイッチ３６の位置は、万華鏡１を片手で持ち、その重心を親指で支えたとき、人差し指または中指で押せる位置にある。
スイッチ３６を片手で安定して操作できるよう配慮したものである。
【００４５】
前記照明装置５の照明ランプ３４、３４に白色高輝度ＬＥＤを用いたのは、小型にもかかわらず強力な色温度の高い白色光が得られ、色彩の再現に効果が大きいためである。また電池で作動し、発熱や電力消費が少なく電池が長持ちするため照明装置５を小型化でき携帯に都合がよい。
【００４６】
前記本発明を実施するための最良の形態の照明装置５は、照明ランプ３４として白色高輝度ＬＥＤを使用するものについて説明したが、本発明はこれに限らず、市販されている、通常のフィラメントランプや色温度の高いハロゲンランプなど各種の照明ランプを使用してもよい。
また、万華鏡本体５の軸心方向に対して直角方向から万華鏡用映像ソフト２を照明するものについて説明したが、これに限らず、どの方向から万華鏡用映像ソフトを照明してもよい。
なお、反射板３２を使用せず、図２６および図２７に示すように直接照明ランプ３４の光を当てることも可能である。
【００４７】
前記アイピース６は、万華鏡本体２の接眼部８を中央にして左右に広がり、左右どちらの目を万華鏡本体２の接眼部８に当てても、残り片方の目を覆うように構成されたフード３８からなり、万華鏡本体２の接眼部８に取付けられている。
【００４８】
万華鏡の接眼部にアイピースがあると、より鮮明な映像を得ることができるが、従来のアイピースは単眼の光学機器であれば片目だけというのが普通で、通常の単眼の万華鏡は片目を瞑って覗く必要があり、目が疲れるという欠点があった。
本発明は、左右どちらの目を万華鏡本体２の接眼部８に当てても、残り片方の目を覆うので、左右どちらの目でも覗くことができる。従って利き目を気にすることがなく、しかも両目を明けて覗くことができるので、映像に立体感が感じられ、目も疲れない。
また、本構成のアイピース７は可動部がなくシンプルで、壊れにくく耐久性がある。
【００４９】
上記構成の万華鏡１は、万華鏡用映像ソフト３を映像ソフト支持体４に、押さえ板３３を押し広げながら挿入装着し、アイピース６に任意の片目を当てて覗くとともに、スイッチ３５をＯＮして白色高輝度ＬＥＤの照明ランプ３４、３４を点灯させる。
この状態で万華鏡用映像ソフト３のキャップ１７を指先でつまんで回転させることにより、暗い室内でも照明ランプ３４、３４で照明された、明るくて美しい映像を楽な姿勢で楽しむことができる。
　｛発明を実施するための異なる形態｝
【００５０】
次に、図１３ないし図３９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００５１】
図１３ないし図１５に示す本発明を実施するための第２の形態において、前記本発明を実施するための最良の第１の形態と主に異なる点は、両目を覆うフード３８Ａが前記万華鏡本体の接眼部８に枢支ピン３９，３９によって左右方向に揺動可能に取付けられたものである。これにより、左右どちらの目を万華鏡本体の接眼部に当てても、フード３８Ａを揺動させることにより、残り片方の目を覆うことができる。
このように構成した万華鏡１Ａにしても、前記本発明を実施するための最良の第１の形態と同様な作用効果が得られる。
【００５２】
図１６および図１７に示す本発明を実施するための第３の形態において、前記本発明を実施するための最良の第１の形態と主に異なる点は、両目を覆うフード３８Ｂが前記万華鏡本体の接眼部８にスライドレール４０、４０によって左右方向にスライド可能に取付けられたものである。これにより、左右どちらの目を万華鏡本体の接眼部に当てても、フード３８Ｂをスライドさせることにより、残り片方の目を覆うことができる。
このように構成した万華鏡１Ｂにしても、前記本発明を実施するための最良の第１の形態と同様な作用効果が得られる。
【００５３】
図１８ないし図２１に示す本発明を実施するための第４の形態において、前記本発明を実施するための最良の第１の形態と主に異なる点は、両目で覗くことができるように並行に配置された、２本の万華鏡本体２Ａ、２Ｂと、この万華鏡本体２Ａ、２Ｂの対物部７に取付けられ、各万華鏡本体２Ａ、２Ｂに対応する２本の万華鏡用映像ソフト３Ａ、３Ｂを独立して支持する映像ソフト支持体４Ａと、この映像ソフト支持体４Ａに支持させることができる容器内に映像ソフト部材２４Ａ、２４Ｂが収納された２本の万華鏡用映像ソフト３Ａ、３Ｂとからなる点で、このように構成した万華鏡１Ｃにしても、前記本発明を実施するための最良の第１の形態と同様な作用効果が得られるとともに、両方の目で異なる万華鏡用映像ソフトの映像を見ることができる。
【００５４】
両目で覗くことができる双眼の万華鏡は従来から存在し、重なって見える複雑な映像を楽しめるが、映像ソフト自体は共有しており、両目に映る映像の動静は同じである。従って映像ソフトによっては重なって見える映像がうるさく感じられる場合がある。
目には止まっているものより動いているものをより鮮明に認識するという生理現象がある。本発明は万華鏡用映像ソフト３Ａ、３Ｂを万華鏡本体２Ａ、２Ｂのそれぞれに対応するように支持してあり、独立して動かすことができるので、両目で覗いていても片方の万華鏡用映像ソフト３Ａもしくは３Ｂを回すと、回した側の動く映像の方がより鮮明に認識され、動かしていない方の映像は認識されにくく、全体としてより複雑で深みのある鮮明な、立体感のある映像を楽しむことができる。
しかし、重なって見える映像がうるさく感じられる場合がある。また、片方の映像をより集中して楽しみたいという要求もある。万華鏡本体２Ａ、２Ｂの接眼部８のそれぞれに遮蔽板４１を設け、必要に応じて開閉し、片方だけの映像を選択して集中して楽しむことができる。
【００５５】
図２２ないし図２４に示す本発明を実施するための第５の形態において、前記本発明を実施するための最良の第１の形態と主に異なる点は、一方の側壁４２から万華鏡用映像ソフト３Ｃを挿入できる挿入孔４３が形成された、下部がほぼ４５゜の傾斜面に形成された該万華鏡本体２の外周部を完全に覆う支持筒２６Ｂと、この支持筒２６Ｂの挿入孔４３が形成された一方の側壁４２にスライド移動可能に取付けられた、挿入された万華鏡用映像ソフト３のガイド溝１９内に先端部が挿入して抜け脱を防止するロック片４４を備えるロック機構４５とを使用した映像ソフト支持体４Ｂを用いた点で、このような映像ソフト支持体４Ｂを用いて構成した万華鏡１Ｄにしても、前記本発明を実施するための最良の第１の形態と同様な作用効果が得られる。
【００５６】
図２５ないし図２７に示す本発明を実施するための第６の形態において、前記本発明を実施するための最良の第１の形態と主に異なる点は、万華鏡用映像ソフト３を上部から挿入することができる映像ソフト収納部４６を形成した映像ソフト支持体４Ｃを用いた点で、このような映像ソフト支持体４Ｃを用いて構成した万華鏡１Ｅにしても、前記本発明を実施するための最良の第１の形態と同様な作用効果が得られる。
【００５７】
図２８および図２９に示す本発明を実施するための第７の形態において、前記本発明を実施するための最良の第１の形態と主に異なる点は、映像ソフト支持体４Ｄの先端部の下面に一端部が固定され、遊端部に取付けられた面ファスナー４７を、映像ソフト支持体４Ｄの先端部の上面に固定された面ファスナー４７に着脱できる透明シート４８を用いた万華鏡用映像ソフト３を支持する押さえ板３３Ｂを用いた点で、このような押さえ板３３Ｂを用いて構成した万華鏡１Ｆにしても、前記本発明を実施するための最良の第１の形態と同様な作用効果が得られる。
【００５８】
図３０ないし図３４に示す本発明を実施するための第８の形態において、前記本発明を実施するための最良の第１の形態と主に異なる点は、万華鏡本体２の外周を装飾用の外側ケース４８で覆った点にある。このように構成した万華鏡１Ｇにしても、変化のある意匠が可能になるとともに、前記本発明を実施するための最良の第１の形態と同様な作用効果が得られる。
【００５９】
図３５ないし図３７に示す本発明を実施するための第９の形態において、前記本発明を実施するための最良の第１の形態と主に異なる点は、キャップ１７が片側だけの万華鏡用映像ソフト３Ａを使用する万華鏡１Ｈを提供する点にある。映像ソフト支持体４Ｆには、万華鏡用映像ソフト３Ａのキャップ１７部分に形成されるガイド溝１９を受ける受け材２７と、万華鏡用映像ソフト３Ａの底側の円周を受けるＶ字型の受け材２７Ｃが取り付けられており、万華鏡用映像ソフト３Ａを万華鏡本体２の対物部７に回転可能で着脱可能に支持するようにした点にある。このような受け材２７、２７Ｃを用いて構成した万華鏡１Ｈにしても、前記本発明を実施するための最良の第１の形態と同様な作用効果が得られる。
【００６０】
図３８ないし図３９に示す本発明を実施するための第１０の形態において、前記本発明を実施するための最良の第１の形態と主に異なる点は、万華鏡用映像ソフト３が受け材２７Ｄから抜け出るのを防止するため、弾力性のある一対の押さえ板３３Ｃ、３３Ｃを、受け材２７Ｄの開口部に、その間隔が万華鏡用映像ソフト３の外経より狭くなるように取り付け、このような２個の受け材２７Ｄ、２７Ｄで万華鏡用映像ソフト３を把持するようにした点にある。そして受け材２７Ｄ、２７Ｄを万華鏡本体２Ｃの対物部７に取り付け、映像ソフト支持体４Ｇとしている。
万華鏡用映像ソフト３を前記映像ソフト支持体４Ｇに挿入するには、弾力性のある一対の押さえ板３３Ｃ、３３Ｃの開口部を万華鏡用映像ソフト３で押し開いて中に入れ、ガイド溝１９、１９を受け材２７、２７に嵌め合わせる。これにより万華鏡用映像ソフト３は受け材２７の上で一定位置で回転可能で、開放端から抜け出ることもない。
このように構成した構成した万華鏡１Ｉにしても、前記本発明を実施するための最良の第１の形態と同様な作用効果が得られる。
【産業上の利用可能性】
【００６１】
本発明は万華鏡および万華鏡用映像ソフトを製造する産業および万華鏡を有料で見せるサービス産業で利用することができる。
【図面の簡単な説明】
【００６２】
【図１】本発明を実施するための最良の第１の形態の斜視図。
【図２】本発明を実施するための最良の第１の形態の分解斜視図。
【図３】本発明を実施するための最良の第１の形態の平面図。
【図４】本発明を実施するための最良の第１の形態の正面図。
【図５】本発明を実施するための最良の第１の形態の背面図。
【図６】本発明を実施するための最良の第１の形態の側面図。
【図７】図３の７−７線に沿う断面図。
【図８】本発明を実施するための最良の第１の形態の万華鏡本体の分解斜視図。
【図９】本発明を実施するための最良の第１の形態の万華鏡用映像ソフトの説明図。
【図１０】図９の１０−１０線に沿う断面図。
【図１１】本発明を実施するための最良の第１の形態の映像ソフト支持体の説明図。
【図１２】本発明を実施するための最良の第１の形態の使用状態の説明図。
【図１３】本発明を実施するための第２の形態の平面図。
【図１４】図１３の１４−１４線に沿う断面図。
【図１５】本発明を実施するための第２の形態の使用状態の説明図。
【図１６】本発明を実施するための第３の形態の平面図。
【図１７】図１６の１７−１７線に沿う断面図。
【図１８】本発明を実施するための第４の形態の平面図。
【図１９】本発明を実施するための第４の形態の側面図。
【図２０】本発明を実施するための第４の形態の背面図。
【図２１】本発明を実施するための第４の形態の万華鏡用映像ソフトの説明図。
【図２２】本発明を実施するための第５の形態の平面図。
【図２３】本発明を実施するための第５の形態の側面図。
【図２４】本発明を実施するための第５の形態の映像ソフト支持体の説明図。
【図２５】本発明を実施するための第６の形態の平面図。
【図２６】本発明を実施するための第６の形態の側面図。
【図２７】図２５の２７−２７線に沿う断面図。
【図２８】本発明を実施するための第７の形態の平面図。
【図２９】図２８の２９−２９線に沿う断面図。
【図３０】本発明を実施するための第８の形態の斜視図。
【図３１】本発明を実施するための第８の形態の分解斜視図。
【図３２】本発明を実施するための第８の形態の平面図。
【図３３】本発明を実施するための第８の形態の側面図。
【図３４】図３２の３４−１４線に沿う断面図。
【図３５】本発明を実施するための第９の形態の斜視図。
【図３６】本発明を実施するための第９の形態の分解斜視図。
【図３７】本発明を実施するための第９の形態の映像ソフト支持体の説明図。
【図３８】本発明を実施するための第１０の形態の斜視図。
【図３９】本発明を実施するための第１０の形態の分解斜視図。
【符号の説明】
【００６３】
１、１Ａ〜１Ｉ：万華鏡、        ２、２Ａ、２Ｂ、２Ｃ：万華鏡本体、
３、３Ａ、３Ｂ：万華鏡用映像ソフト、
４、４Ａ〜４Ｇ：映像ソフト支持体、
５：照明装置、                 
６、６Ａ〜６Ｄ：アイピース、
７：対物部、                   
８：接眼部、
９：鏡、                       
１０：鏡、
１１：遮光板、                 
１２：鏡筒、
１３：カバーガラス、            １４、１４Ａ：円筒状容器本体、
１５：容器開口部、             
１６：容器肩部、
１７：キャップ、               
１８：キャップの縁部、
１９：ガイド溝、               
２０：スペーサ、
２１：隔壁、                   
２２：オブジェクト、
２３：液体、                    ２４、２４Ａ、２４Ｂ：映像ソフト部材、
２５：弾力性のある小片、        ２６、２６Ａ〜２６Ｆ：支持筒、
２７、２７Ａ〜２７Ｄ：受け材、  ２８：リップ部、
２９：反射面、                 
３０：電源収納ケース、
３１：電源、                   
３２：反射板、
３３、３３Ａ〜３３Ｃ：押さえ板、３４：照明ランプ、
３５：スイッチ支持板、          ３６：スイッチ、
３７：制御回路、               
３８、３８Ａ〜３８Ｄ：フード、
３９：枢支ピン、               
４０：スライドレール、
４１：遮蔽板、                 
４２：側壁、
４３：挿入孔、                 
４４：ロック片、
４５：ロック機構、             
４６：映像ソフト収納部、
４７：面ファスナー、            ４８：外側ケース。
【図１】
2004094226.tif 000003
【図２】
2004094226.tif 000004
【図３】
2004094226.tif 000005
【図４】
2004094226.tif 000006
【図５】
2004094226.tif 000007
【図６】
2004094226.tif 000008
【図７】
2004094226.tif 000009
【図８】
2004094226.tif 000010
【図９】
2004094226.tif 000011
【図１０】
2004094226.tif 000012
【図１１】
2004094226.tif 000013
【図１２】
2004094226.tif 000014
【図１３】
2004094226.tif 000015
【図１４】
2004094226.tif 000016
【図１５】
2004094226.tif 000017
【図１６】
2004094226.tif 000018
【図１７】
2004094226.tif 000019
【図１８】
2004094226.tif 000020
【図１９】
2004094226.tif 000021
【図２０】
2004094226.tif 000022
【図２１】
2004094226.tif 000023
【図２２】
2004094226.tif 000024
【図２３】
2004094226.tif 000025
【図２４】
2004094226.tif 000026
【図２５】
2004094226.tif 000027
【図２６】
2004094226.tif 000028
【図２７】
2004094226.tif 000029
【図２８】
2004094226.tif 000030
【図２９】
2004094226.tif 000031
【図３０】
2004094226.tif 000032
【図３１】
2004094226.tif 000033
【図３２】
2004094226.tif 000034
【図３３】
2004094226.tif 000035
【図３４】
2004094226.tif 000036
【図３５】
2004094226.tif 000037
【図３６】
2004094226.tif 000038
【図３７】
2004094226.tif 000039
【図３８】
2004094226.tif 000040
【図３９】
2004094226.tif 000041